(57)【特許請求の範囲】
【請求項１】
表示装置であって、
画像を表示する表示手段と、
リモートコントローラーが送信した信号を受信する受信手段と、
前記受信手段が受信した信号と前記表示装置との対応を前記信号に含まれている情報に基づいて判定する判定手段と、
前記表示装置に対応した信号ではないと前記判定手段が判定した場合、前記信号を受信済みであるか確認するための確認信号を他の表示装置へ送信する確認手段と、
前記確認信号に応じて前記他の表示装置から送信された応答信号が、受信済みではないことを表す場合、前記他の表示装置へ前記受信手段が受信した信号に含まれている情報を送信する送信手段と、
前記表示装置に対応した信号であると前記判定手段が判定した場合、前記受信手段が受信した信号に含まれている情報に対応した処理を実行する処理実行手段と
を備える表示装置。
【請求項２】
前記送信手段は、前記他の表示装置へ前記確認手段が前記確認信号を送信してから予め定められた時間内に前記他の表示装置から前記応答信号が前記表示装置へ送信されなかった場合、前記受信手段が受信した信号に含まれている情報を前記他の表示装置へ送信する
請求項１に記載の表示装置。
【請求項３】
識別子を記憶する記憶手段を有し、
前記判定手段は、前記受信手段が受信した信号が前記表示装置に対応した信号であるか否かを、前記受信手段が受信した信号に含まれている識別子と、前記記憶手段に記憶されている識別子を用いて判定する
請求項１又は請求項２に記載の表示装置。
【請求項４】
前記他の表示装置を識別する装置識別子と、前記他の表示装置の前記記憶手段に記憶された識別子とを対応付けて記憶する記憶手段
を備える請求項３に記載の表示装置。
【請求項５】
前記受信手段が受信した信号に前記リモートコントローラーの操作子が押され続けていることを示すリピート情報が含まれている場合、前記確認手段は、前記確認信号を送信せず、前記送信手段は、前記受信手段が受信した信号に含まれている情報を前記他の表示装置へ送信する
請求項１から請求項４のいずれか一項に記載の表示装置。
【請求項６】
前記受信手段が前記リモートコントローラーからの信号を受信してから予め定められた時間内に新たに前記リモートコントローラーからの信号を受信した場合、前記確認手段は、前記確認信号を送信せず、前記送信手段は、前記受信手段が受信した信号に含まれている情報を前記他の表示装置へ送信する
請求項１から請求項５のいずれか一項に記載の表示装置。
【請求項７】
表示装置の制御方法であって、
リモートコントローラーが送信した信号を受信する受信ステップと、
前記受信ステップで受信した信号と前記表示装置との対応を前記信号に含まれている情報に基づいて判定する判定ステップと、
前記表示装置に対応した信号ではないと前記判定ステップで判定された場合、前記信号を受信済みであるか確認するための確認信号を他の表示装置へ送信する確認ステップと、
前記確認信号に応じて前記他の表示装置から送信された応答信号が、受信済みではないことを表す場合、前記他の表示装置へ前記受信ステップで受信した信号に含まれている情報を送信する送信ステップと、
前記表示装置に対応した信号であると前記判定ステップで判定された場合、前記受信ステップで受信した信号に含まれている情報に対応した処理を実行する処理実行ステップと
を備える表示装置の制御方法。
【請求項８】
第１の表示装置と第２の表示装置を有する表示システムであって、
前記第１の表示装置は、
第１の画像を表示する第１の表示手段と、
リモートコントローラーが送信した信号を受信する受信手段と、
前記受信手段が受信した信号と前記第１の表示装置との対応を前記信号に含まれている情報に基づいて判定する判定手段と、
前記第１の表示装置に対応した信号ではないと前記判定手段が判定した場合、前記信号を受信済みであるか確認するための確認信号を前記第２の表示装置へ送信する確認手段と、
前記確認信号に応じて前記第２の表示装置から送信された応答信号が、受信済みではないことを表す場合、前記第２の表示装置へ前記受信手段が受信した信号に含まれている情報を送信する送信手段と、
前記第１の表示装置に対応した信号であると前記判定手段が判定した場合、前記受信手段が受信した信号に含まれている情報に対応した処理を実行する処理実行手段とを有し、
前記第２の表示装置は、
第２の画像を表示する第２の表示手段と、
前記第１の表示装置と通信する通信部と、
前記通信部が前記確認信号を受信した場合、前記確認信号を受信した時から予め決められた時間内に前記信号を受信したか判断し、前記信号を前記予め決められた時間内に受信していないと判断したときに、前記通信部に前記応答信号を送信させる制御部と
を有することを特徴とする表示システム。
【発明の詳細な説明】
【技術分野】
【０００１】
本発明は、表示装置を操作する技術に関する。
【背景技術】
【０００２】
特許文献１には、１つのリモコンで複数のプロジェクターを操作する技術が開示されている。特許文献１に開示されている複数のプロジェクターにおいては、ユーザーにより予め各々異なる識別番号が設定される。リモコンにおいて識別番号が入力されると、入力された識別番号が全てのプロジェクターへ送信される。複数のプロジェクターにおいては、送信された識別番号が自身の識別番号と一致したプロジェクターが動作する。
【先行技術文献】
【特許文献】
【０００３】
【特許文献１】特開２００８−６１１６０号公報
【発明の概要】
【発明が解決しようとする課題】
【０００４】
特許文献１の技術では、リモコンで入力された識別番号に対応したプロジェクターに、リモコンからの信号が届かなかった場合には、識別番号に対応したプロジェクターを操作することができないという不具合が発生する恐れがあった。
【０００５】
本発明は、操作対象のプロジェクターにリモートコントローラーからの信号が届かなかった場合に、操作対象のプロジェクターを操作することができないという不具合の発生を軽減する技術を提供する。
【課題を解決するための手段】
【０００６】
本発明は、表示装置であって、画像を表示する表示手段と、リモートコントローラーが送信した信号を受信する受信手段と、前記受信手段が受信した信号と前記表示装置との対応を前記信号に含まれている情報に基づいて判定する判定手段と、前記表示装置に対応した信号ではないと前記判定手段が判定した場合、前記信号を受信済みであるか確認するための確認信号を他の表示装置へ送信する確認手段と、前記確認信号に応じて前記他の表示装置から送信された応答信号が、受信済みではないことを表す場合、前記他の表示装置へ前記受信手段が受信した信号に含まれている情報を送信する送信手段と、前記表示装置に対応した信号であると前記判定手段が判定した場合、前記受信手段が受信した信号に含まれている情報に対応した処理を実行する処理実行手段とを備える表示装置を提供する。
本発明によれば、操作対象のプロジェクターにリモートコントローラーからの信号が届かなかった場合に、操作対象のプロジェクターを操作することができないという不具合の発生を軽減することができる。
【０００７】
本発明においては、前記送信手段は、前記他の表示装置へ前記確認手段が前記確認信号を送信してから予め定められた時間内に前記他の表示装置から前記応答信号が前記表示装置へ送信されなかった場合、前記受信手段が受信した信号に含まれている情報を前記他の表示装置へ送信する構成としてもよい。
この構成によれば、リモートコントローラーから送信された信号に含まれている情報を他の表示装置へ送信し、他の表示装置において、リモートコントローラーから送信された信号に含まれている情報に含まれている情報に対応した処理を実行させることができる。
【０００８】
また、本発明においては、識別子を記憶する記憶手段を有し、前記判定手段は、前記受
信手段が受信した信号が前記表示装置に対応した信号であるか否かを、前記受信手段が受信した信号に含まれている識別子と、前記記憶手段に記憶されている識別子を用いて判定する構成としてもよい。
この構成によれば、自装置がリモートコントローラーからの信号を受信できなくとも、リモートコントローラーからの信号に含まれている情報に対応した処理を実行することができる。
【０００９】
また、本発明においては、前記他の表示装置を識別する装置識別子と、前記他の表示装置の前記記憶手段に記憶された識別子とを対応付けて記憶する記憶手段を備える構成としてもよい。
この構成によれば、リモートコントローラーからの信号に含まれている情報を送信する際に、信号に含まれていた識別子に対応した表示装置のみへ、リモートコントローラーからの信号に含まれている情報を送信することができる。
【００１０】
また、本発明においては、前記受信手段が受信した信号に前記リモートコントローラーの操作子が押され続けていることを示すリピート情報が含まれている場合、前記確認手段は、前記確認信号を送信せず、前記送信手段は、前記受信手段が受信した信号に含まれている情報を前記他の表示装置へ送信する構成としてもよい。
この構成によれば、リモートコントローラーにおいて操作子が押され続けている場合には、確認信号を送信せずにすぐにリモートコントローラーからの信号に含まれていた情報を他の表示装置へ送信することができる。
【００１１】
また、本発明においては、前記受信手段が前記リモートコントローラーからの信号を受信してから予め定められた時間内に新たに前記リモートコントローラーからの信号を受信した場合、前記確認手段は、前記確認信号を送信せず、前記送信手段は、前記受信手段が受信した信号に含まれている情報を前記他の表示装置へ送信する構成としてもよい。
この構成によれば、リモートコントローラーにおいて操作子が連続して押された場合には、確認信号を送信せずにすぐにリモートコントローラーからの信号に含まれていた情報を他の表示装置へ送信することができる。
【００１２】
また、本発明は、表示装置の制御方法であって、リモートコントローラーが送信した信号を受信する受信ステップと、前記受信ステップで受信した信号と前記表示装置との対応を前記信号に含まれている情報に基づいて判定する判定ステップと、前記表示装置に対応した信号ではないと前記判定ステップで判定された場合、前記信号を受信済みであるか確認するための確認信号を他の表示装置へ送信する確認ステップと、前記確認信号に応じて前記他の表示装置から送信された応答信号が、受信済みではないことを表す場合、前記他の表示装置へ前記受信ステップで受信した信号に含まれている情報を送信する送信ステップと、前記表示装置に対応した信号であると前記判定ステップで判定された場合、前記受信ステップで受信した信号に含まれている情報に対応した処理を実行する処理実行ステップとを備える表示装置の制御方法を提供する。
本発明によれば、操作対象のプロジェクターにリモートコントローラーからの信号が届かなかった場合に、操作対象のプロジェクターを操作することができないという不具合の発生を軽減することができる。
【００１３】
また、発明は、第１の表示装置と第２の表示装置を有する表示システムであって、前記第１の表示装置は、第１の画像を表示する第１の表示手段と、リモートコントローラーが送信した信号を受信する受信手段と、前記受信手段が受信した信号と前記第１の表示装置との対応を前記信号に含まれている情報に基づいて判定する判定手段と、前記第１の表示装置に対応した信号ではないと前記判定手段が判定した場合、前記信号を受信済みであるか確認するための確認信号を前記第２の表示装置へ送信する確認手段と、前記確認信号に応じて前記第２の表示装置から送信された応答信号が、受信済みではないことを表す場合、前記第２の表示装置へ前記受信手段が受信した信号に含まれている情報を送信する送信手段と、前記第１の表示装置に対応した信号であると前記判定手段が判定した場合、前記受信手段が受信した信号に含まれている情報に対応した処理を実行する処理実行手段とを有し、前記第２の表示装置は、第２の画像を表示する第２の表示手段と、前記第１の表示装置と通信する通信部と、前記通信部が前記確認信号を受信した場合、前記確認信号を受信した時から予め決められた時間内に前記信号を受信したか判断し、前記信号を前記予め決められた時間内に受信していないと判断したときに、前記通信部に前記応答信号を送信させる制御部とを有することを特徴とする表示システムを提供する。
本発明によれば、操作対象のプロジェクターにリモートコントローラーからの信号が届
かなかった場合に、操作対象のプロジェクターを操作することができないという不具合の
発生を軽減することができる。
【図面の簡単な説明】
【００１４】
【図１】本発明の一実施形態の表示システム１に係る装置を示した図。
【図２】プロジェクター１０のハードウェア構成を示した図。
【図３】制御部１１０で実現する機能の構成を示した機能ブロック図。
【図４】制御部１１０が行う処理の流れを示したフローチャート。
【図５】制御部１１０が行う処理の流れを示したフローチャート。
【図６】制御部１１０が行う処理の流れを示したフローチャート。
【図７】制御部１１０が行う処理の流れを示したフローチャート。
【発明を実施するための形態】
【００１５】
［実施形態］
図１は、本発明の一実施形態に係る表示システム１に含まれる装置を示した図である。プロジェクター１０Ａ〜１０Ｃは、外部装置から供給された映像信号が表す画像や、外部装置から取得した画像データが表す画像をスクリーンや壁面へ投写する表示装置の一例である。プロジェクター１０Ａ〜１０Ｃの構成は、それぞれ同じであるため、以下、プロジェクター１０Ａ〜１０Ｃの各々を区別する必要がない場合は、プロジェクター１０と称する。プロジェクター１０Ａ〜１０Ｃは、通信ネットワーク又は無線通信により接続されており、ユーザーの操作に応じて互いに通信を行う。また、プロジェクター１０Ａ〜１０Ｃは、プロジェクター１０Ａ〜１０Ｃが投写する映像により一つの映像が表示されるように設置されている。本実施形態においては、投写する一つの映像を横方向で３つの領域に分割し、分割された左端の領域の映像信号をプロジェクター１０Ａに供給し、中央の領域の映像信号をプロジェクター１０Ｂに供給し、右端の領域の映像信号をプロジェクター１０Ｃに供給することにより、映像の全体が表示される。
【００１６】
リモートコントローラー２０は、赤外光の信号によりプロジェクター１０を操作するコントローラーであり、複数のボタン（操作子）を備えている。リモートコントローラー２０は、ボタンが操作されると、操作されたボタンを表すコードと予め設定された識別子を含む信号を送信する。また、リモートコントローラー２０は、ボタンが押し続けられた場合、操作されたボタンを表すコードと、予め設定された識別子と、ボタンが押し続けられていることを表すリピート情報を含む信号を送信する。
【００１７】
（プロジェクター１０Ａ〜１０Ｃの構成）
図２は、プロジェクター１０Ａ〜１０Ｃのハードウェア構成を示した図である。本実施形態においては、プロジェクター１０Ａ〜１０Ｃの基本的なハードウェア構成は同じである。以下、プロジェクター１０Ａ〜１０Ｃの各部を区別する必要がある場合、説明の便宜上、プロジェクター１０Ａの各部の符号の末尾には「Ａ」を付し、プロジェクター１０Ｂの各部の符号の末尾には「Ｂ」を付して説明を行う。また、プロジェクター１０Ｃの各部
の符号の末尾には「Ｃ」を付して説明を行い、各部を区別する必要がない場合、符号の末尾への「Ａ」、「Ｂ」、「Ｃ」の付加を省略して説明を行う。
【００１８】
プロジェクター１０は、制御部１１０、記憶部１２０、操作部１３０、投写部１４０を備える。また、プロジェクター１０は、映像処理部１５０、映像インターフェース１６０、受光部１７０、通信部１８０を備える。
【００１９】
制御部１１０は、ＣＰＵ（Central Processing Unit）、ＲＯＭ（Read Only Memory）及びＲＡＭ（Random Access Memory）を備えたマイクロコンピューターである。プロジェクター１０においては、ＲＯＭに記憶されているプログラムをＣＰＵが実行すると、制御部１１０が各部を制御し、画像を投写する機能や外部装置と通信を行う機能などが実現する。
【００２０】
記憶部１２０は、投写する画像の画質に係る設定や、各種機能の設定に係る情報、予めユーザーにより設定された識別子を記憶する。記憶部１２０は、識別子を記憶する記憶手段の一例である。また、記憶部１２０は、協働して映像全体を表示する他のプロジェクター１０のＩＰアドレスを記憶する。例えば、プロジェクター１０Ａは、プロジェクター１０Ｂ、１０Ｃのそれぞれに割り当てられたＩＰアドレスを記憶する。ＩＰアドレスは、それぞれのプロジェクター１０を一意に識別する装置識別子の一例である。
【００２１】
操作部１３０は、プロジェクター１０を操作するための複数のボタンを備えている。操作されたボタンに応じて制御部１１０が各部を制御することにより、投写される画像の調整や、プロジェクター１０が有する各種機能の設定などが行われる。受光部１７０は、リモートコントローラー２０が発する赤外光の信号を受光し、受光した信号を表す電気信号を制御部１１０へ供給する。制御部１１０は、受光部１７０から供給される信号に応じて各部を制御する。また、受光部１７０は、発光ダイオードを備えている。この発光ダイオードは、制御部１１０からの制御に応じて点灯する。
【００２２】
通信部１８０は、有線通信の通信インターフェースや、ＩＥＥＥ８０２．１１の規格に従った無線通信の通信インターフェース、Ｂｌｕｅｔｏｏｔｈ（登録商標）の通信インターフェース、ＵＳＢ（Universal Serial Bus）の通信インターフェースなどを有し、各種インターフェースによって他のコンピューター装置や他のプロジェクター１０と通信を行う。通信部１８０は、他のプロジェクター１０と接続して通信を行う通信手段の一例である。
【００２３】
映像インターフェース１６０は、映像信号を取得する映像信号取得手段の一例である。ＲＣＡ、Ｄ−Ｓｕｂ、ＨＤＭＩ（登録商標）などのコネクターを有し、外部装置からコネクターに供給された映像信号を映像処理部１５０へ供給する。映像処理部１５０は、映像インターフェース１６０から供給される映像信号を取得する。また、映像処理部１５０は、プロジェクター１０を操作するためのＧＵＩ（Graphical User Interface）やメニューなどのオンスクリーン画像の信号を制御部１１０から取得する。映像処理部１５０は、各種の画像処理機能を備えており、映像インターフェース１６０から供給された映像信号に画像処理を施し、投写する画像の画質を調整する。映像処理部１５０は、画質を調整した映像信号を投写部１４０へ供給する。また、映像処理部１５０は、制御部１１０からオンスクリーン画像の信号が供給された場合には、オンスクリーン画像の信号を重畳した映像信号を投写部１４０へ供給する。
【００２４】
画像を投写する投写部１４０は、光源１４１、ライトバルブ１４２、駆動回路１４４及び投写光学系１４３を有している。投写部１４０と映像処理部１５０は、画像を表示する表示手段として機能する。光源１４１は、光を発するランプであり、光源１４１が発した
光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザー光を発する半導体レーザー装置であってもよい。
【００２５】
駆動回路１４４は、映像処理部１５０から供給される映像信号を取得する。駆動回路１４４に供給される映像信号は、投写する画像における赤の成分の階調を表す階調データ、投写する画像における緑の成分の階調を表す階調データ及び投写する画像における青の成分の階調を表す階調データを有する。駆動回路１４４は、赤、緑、青の各色の階調データを抽出し、抽出した各色の階調データに基づいてライトバルブ１４２を駆動する。
【００２６】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光の画像は、図示省略したダイクロイックプリズムにより合成されて投写光学系１４３に入射する。投写光学系１４３は、入射した画像を拡大する光学系であり、入射した画像をレンズやミラーによって拡大して投写する。
【００２７】
図３は、制御部１１０がＲＯＭのプログラムを実行することにより実現する機能の構成を示した機能ブロック図である。受信部１００１は、リモートコントローラー２０が送信した信号を受信する受信手段の一例である。判定部１００２は、受信部１００１が受信した信号が自装置に対応した信号であるか信号に含まれる情報を用いて判定する判定手段の一例である。確認部１００３は、自装置に対応した信号ではないと判定部１００２が判定した場合、リモートコントローラー２０が送信した信号を受信済みであるか確認するための確認信号を他のプロジェクター１０へ送信する確認手段の一例である。取得部１００４は、リモートコントローラー２０が送信した信号を受信した他のプロジェクター１０から当該信号に含まれている情報を取得する取得手段の一例である。送信部１００５は、確認信号に応じて他のプロジェクター１０から送信された応答信号が、受信済みではないことを表す場合、当該応答信号を送信したプロジェクター１０へ受信部１００１が受信した信号に含まれている情報を送信する送信手段の一例である。処理実行部１００６は、自装置に対応した信号であると判定部１００２が判定した場合、受信部１００１が受信した信号に含まれている情報に対応した処理を実行し、取得部１００４が他のプロジェクター１０から送信された情報を受信した場合、取得部１００４が取得した情報に対応した処理を実行する処理実行手段の一例である。報知部１００７は、処理実行部１００６が処理を実行した場合、処理を実行したことを報知し、受信部１００１がリモートコントローラー２０からの信号を受信した場合、リモートコントローラー２０からの信号を受信したことを報知する報知手段の一例である。
【００２８】
（実施形態の動作例）
次に本実施形態の動作例について、図４〜図７のフローチャートを用いて説明する。なお、以下の説明においては、リモートコントローラー２０において設定された識別子を「３」、プロジェクター１０Ａで設定された識別子が「１」、プロジェクター１０Ｂで設定された識別子が「２」、プロジェクター１０Ｃで設定された識別子が「３」である場合を想定して動作例の説明を行う。また、リモートコントローラー２０が送信した信号が、プ
ロジェクター１０Ａで受信され、プロジェクター１０Ｂとプロジェクター１０Ｃで受信されなかった場合を想定して動作例の説明を行う。
【００２９】
リモートコントローラー２０は、ボタンが操作されると、設定されている識別子の「３」と、操作されたボタンに対応したコードを含む赤外光の信号を送信する。リモートコントローラー２０が送信した赤外光の信号は、受光部１７０Ａで受光される。受光部１７０Ａは、受光した赤外光を電気信号に変換し、識別子の「３」と、操作されたボタンに対応したコードを表す電気信号を制御部１１０Ａへ供給する。
【００３０】
制御部１１０Ａは、受光部１７０Ａから電気信号が供給されると、受光部１７０Ａの発光ダイオードを予め定められた時間の間において点滅させる（図４：ステップＳＡ１）。また、制御部１１０Ａは、供給された信号に含まれる識別子と、記憶部１２０Ａに記憶されている識別子とが同じであるか判断する（ステップＳＡ２）。ここで記憶部１２０Ａに記憶されている識別子は「１」であるため、制御部１１０Ａは、供給された電気信号に含まれる識別子と、記憶部１２０Ａに記憶されている識別子とが同じではないと判断する（ステップＳＡ２でＮＯ）。
【００３１】
制御部１１０Ａは、供給された電気信号に含まれる識別子と、記憶部１２０Ａに記憶されている識別子とが同じではないと判断した場合、リモートコントローラー２０が送信した信号を受信したか確認する確認メッセージ（確認信号）を、記憶部１２０Ａに記憶されているＩＰアドレスを参照し、協働して映像全体を投写する他のプロジェクター１０Ｂ、１０Ｃへ送信する（ステップＳＡ３）。
【００３２】
この確認メッセージを通信部１８０Ｂが受信すると、制御部１１０Ｂは、この確認メッセージを受信した時点から過去の予め定められた時間内において、リモートコントローラー２０からの信号を受信済みであるか判断する（図５：ステップＳＢ１）。制御部１１０Ｂは、リモートコントローラー２０からの信号を受信済みではない場合（ステップＳＢ１でＮＯ）、受信済みではないことを通知する応答メッセージを、通信部１８０Ｂを制御してプロジェクター１０Ａへ送信する（ステップＳＢ２）。
【００３３】
また、プロジェクター１０Ａが送信したメッセージを通信部１８０Ｃが受信すると、制御部１１０Ｃは、このメッセージを受信した時点から過去の予め定められた時間内において、リモートコントローラー２０からの信号を受信済みであるか判断する（ステップＳＢ２）。制御部１１０Ｃは、リモートコントローラー２０からの信号を受信済みではない場合（ステップＳＢ１でＮＯ）、受信済みではないことを通知する応答メッセージを、通信部１８０Ｃを制御してプロジェクター１０Ａへ送信する（ステップＳＢ２）。
【００３４】
通信部１８０Ａが、プロジェクター１０Ｂから送信された応答メッセージを受信すると、制御部１１０Ａは、受信した応答メッセージが受信済みであることを表すものであるか判断する（図６：ステップＳＣ１）。制御部１１０Ａは、受信した応答メッセージが受信済みであることを表すものではない場合（ステップＳＣ１でＮＯ）、受光部１７０Ａから供給された信号に含まれていた識別子とコードを、応答メッセージを送信したプロジェクター１０Ｂへ、通信部１８０Ａを制御して送信する（ステップＳＣ２）。また、通信部１８０Ａが、プロジェクター１０Ｃから送信された応答メッセージを受信すると、制御部１１０Ａは、受信した応答メッセージが受信済みであることを表すものであるか判断する（ステップＳＣ１）。制御部１１０Ａは、受信した応答メッセージが受信済みであることを表すものではない場合（ステップＳＣ１でＮＯ）、受光部１７０Ａから供給された信号に含まれていた識別子とコードを、応答メッセージを送信したプロジェクター１０Ｃへ、通信部１８０Ａを制御して送信する（ステップＳＣ２）。
【００３５】
通信部１８０Ｂがプロジェクター１０Ａから送信された識別子及びコードを受信すると、制御部１１０Ｂは、供給された識別子と、記憶部１２０Ｂに記憶されている識別子とが同じであるか判断する（図７：ステップＳＤ１）。ここで、受信した識別子は「３」であり、記憶部１２０Ｂに記憶されている識別子は「２」であり、受信した識別子と記憶している識別子が異なるため（ステップＳＤ１でＮＯ）、制御部１１０Ｂは、通信部１８０Ｂが受信したコードに対応した処理を行わない。
【００３６】
また、通信部１８０Ｃがプロジェクター１０Ａから送信された識別子及びコードを受信すると、制御部１１０Ｃは、供給された識別子と、記憶部１２０Ｃに記憶されている識別子とが同じであるか判断する（ステップＳＤ１）。ここで、受信した識別子は「３」であり、記憶部１２０Ｃに記憶されている識別子は「３」であり、受信した識別子と記憶している識別子が同じであるため（ステップＳＤ１でＹＥＳ）、制御部１１０Ｃは、通信部１８０Ｂが受信したコードに対応した処理を行う（ステップＳＤ２）。
また、制御部１１０Ｃは、リモートコントローラー２０で行われた操作に応じた処理を実行したことを知らせるアイコンのＯＳＤが表示されるように、映像処理部１５０Ｃと投写部１４０Ｃを制御する（ステップＳＤ３）。この制御が行われると、リモートコントローラー２０で行われた操作に応じた処理を実行したことを知らせるアイコンのＯＳＤが、プロジェクター１０Ｃが投写する映像の領域内に表示される。
【００３７】
なお、制御部１１０Ｂは、リモートコントローラー２０からの信号を受信していた場合（ステップＳＢ１でＹＥＳ）、リモートコントローラー２０からの信号を受信していたことを通知する応答メッセージをプロジェクター１０Ａへ送信する（ステップＳＢ３）。制御部１１０Ａは、リモートコントローラー２０からの信号を受信済みであることを通知する応答メッセージをプロジェクター１０Ｂから受信した場合（ステップＳＣ１でＹＥＳ）、受光部１７０Ａから供給された信号に含まれていた識別子及びコードをプロジェクター１０Ｂへ送信しない。
【００３８】
次に、リモートコントローラー２０において設定された識別子を「１」、プロジェクター１０Ａで設定された識別子が「１」、プロジェクター１０Ｂで設定された識別子が「２」、プロジェクター１０Ｃで設定された識別子が「３」であり、リモートコントローラー２０が送信した信号が、プロジェクター１０Ａで受信され、プロジェクター１０Ｂとプロジェクター１０Ｃで受信されなかった場合を想定して動作例の説明を行う。
【００３９】
リモートコントローラー２０は、ボタンが操作されると、設定されている識別子の「１」と、操作されたボタンに対応したコードを含む赤外光の信号を送信する。リモートコントローラー２０が送信した赤外光の信号は、受光部１７０Ａで受光される。受光部１７０Ａは、受光した赤外光を電気信号に変換し、識別子の「１」と、操作されたボタンに対応したコードを表す電気信号を制御部１１０Ａへ供給する。
【００４０】
制御部１１０Ａは、受光部１７０Ａから電気信号が供給されると、受光部１７０Ａの発光ダイオードを予め定められた時間の間において点滅させる（ステップＳＡ１）。また、制御部１１０は、供給された信号に含まれる識別子と、記憶部１２０に記憶されている識別子とが同じであるか判断する（ステップＳＡ２）。記憶部１２０Ａに記憶されている識別子は「１」であるため、制御部１１０Ａは、供給された電気信号に含まれる識別子と、記憶部１２０Ａに記憶されている識別子とが同じであると判断する（ステップＳＡ２でＹＥＳ）。
【００４１】
制御部１１０Ａは、供給された電気信号に含まれる識別子と、記憶部１２０Ａに記憶されている識別子とが同じであると判断した場合、供給された信号に含まれていたコードに対応した処理を行う（ステップＳＡ４）。また、制御部１１０Ａは、リモートコントロー
ラー２０で行われた操作に応じた処理を実行したことを知らせるアイコンのＯＳＤが投写（表示）されるように、映像処理部１５０と投写部１４０を制御する（ステップＳＡ５）。この制御が行われると、リモートコントローラー２０で行われた操作に応じた処理を実行したことを知らせるアイコンのＯＳＤが、プロジェクター１０Ａが投写する映像の領域内に投写される。
【００４２】
以上説明したように本実施形態によれば、リモートコントローラー２０が送信する識別子と同じ識別子を記憶しているプロジェクター１０にリモートコントローラー２０からの信号が届かなくとも、リモートコントローラー２０が送信する識別子と同じ識別子を記憶しているプロジェクター１０において、リモートコントローラー２０が送信したコードに対応した処理を行わせることができる。また、本実施形態によれば、リモートコントローラー２０からの信号を受信したプロジェクター１０と、リモートコントローラー２０が送信したコードに対応した処理を実行したプロジェクター１０をユーザーに報知することができる。また、本実施形態によれば、リモートコントローラー２０からの信号を受信したプロジェクター１０を報知する態様が発光ダイオードの点滅であり、リモートコントローラー２０が送信したコードに対応した処理を実行したプロジェクター１０をユーザーに報知する態様がＯＳＤの表示であり、報知の態様が異なるため、リモートコントローラー２０からの信号を受信したプロジェクター１０と、処理を実行したプロジェクター１０を容易に区別することができる。
【００４３】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００４４】
上述した実施形態においては、受光部１７０からの信号を取得した制御部１１０は、リモートコントローラー２０が送信した信号を受信したか確認する確認メッセージを送信してから予め定められた時間内に応答メッセージが送信されてこない場合、応答メッセージを送信してこなかったプロジェクター１０がリモートコントローラー２０からの信号を受信していないものと判断し、受光部１７０から供給された信号に含まれている識別子とコードを、応答メッセージを送信してこなかったプロジェクター１０へ送信するようにしてもよい。
【００４５】
上述した実施形態においては、協働して映像全体を表示する他のプロジェクター１０のＩＰアドレスを記憶しているが、ＩＰアドレスと共にＩＰアドレスで特定されるプロジェクター１０に記憶されている識別子を記憶するようにしてもよい。
この構成の場合、制御部１１０は、受光部１７０から供給された信号に含まれている識別子が記憶部１２０に記憶されている識別子とは異なる識別子の場合、供給された信号に含まれている識別子と組みで記憶されているＩＰアドレスのプロジェクター１０へのみ、リモートコントローラー２０が送信した信号を受信したか確認する確認メッセージを送信するようにしてもよい。
【００４６】
上述した実施形態においては、制御部１１０は、受光部１７０から取得した信号に含まれている識別子及びコードを他のプロジェクター１０へ送信した後、予め定められた時間内に新たに受光部１７０からの信号を取得した場合、新たに取得した信号について、リモートコントローラー２０が送信した信号を受信したか確認する確認メッセージを送信することなく、新たに取得した信号に含まれていた識別子及びコードを、他のプロジェクター１０へ送信する構成としてもよい。
【００４７】
上述した実施形態においては、受光部１７０が受信した信号にリピート情報が含まれている場合、リモートコントローラー２０が送信した信号を受信したか確認する確認メッセージを送信することなく、取得した信号に含まれていた識別子及びコードを、他のプロジェクター１０へ送信する構成としてもよい。
【００４８】
上述した実施形態においては、リモートコントローラー２０からの信号を受信したプロジェクター１０は、発光ダイオードを点滅させることにより、自装置がリモートコントローラー２０からの信号を受信したことをユーザーに報知しているが、自装置がリモートコントローラー２０からの信号を受信したことをユーザーに報知する構成は、この構成に限定されるものではない。例えば、プロジェクター１０がスピーカーを備える構成とし、予め定められた音をスピーカーから放音させることにより、自装置がリモートコントローラー２０からの信号を受信したことをユーザーに報知するようにしてもよい。また、リモートコントローラー２０からの信号を受信したプロジェクター１０は、リモートコントローラー２０からの信号を受信したことを表すアイコンを表示する構成としてもよい。また、リモートコントローラー２０からの信号を受信したプロジェクター１０がアイコンを表示し、リモートコントローラー２０から送信されたコードに応じた処理を行ったプロジェクター１０が発光ダイオードを点滅させる構成としてもよい。
また、リモートコントローラー２０から送信されたコードに応じた処理を行ったプロジェクター１０は、表示する画面を予め定められた回数で点滅させることにより、リモートコントローラー２０から送信されたコードに応じた処理を行ったことを報知する構成としてもよい。
【００４９】
上述した実施形態においては、他のプロジェクター１０へ識別子とコードを送信したプロジェクター１０は、他のプロジェクター１０へ識別子とコードを送信したことを報知してもよい。この報知は、例えば、アイコン、発光ダイオードの点滅のしかた、放音する音の内容で報知してもよい。
【００５０】
上述した実施形態においては、３台のプロジェクター１０で映像全体を投写する構成となっているが、映像全体を投写するプロジェクター１０の数は、複数であれば、３台以外の構成であってもよい。また、上述した実施形態においては、３台のプロジェクター１０がそれぞれ映像全体を分割して投写する構成となっているが、３台のプロジェクター１０の各々が同じ映像全体を投写する構成であってもよい。
【符号の説明】
【００５１】
１０、１０Ａ〜１０Ｄ…プロジェクター、２０…リモートコントローラー、１１０…制御部、１２０…記憶部、１３０…操作部、１４０…投写部、１４１…光源、１４２…ライトバルブ、１４３…投写光学系、１４４…駆動回路、１５０…映像処理部、１６０…映像インターフェース、１７０…受光部、１８０…通信部、１００１…受信部、１００２…判定部、１００３…確認部、１００４…取得部、１００５…送信部、１００６…処理実行部、１００７…報知部。
【図１】
0006597073.tif 000002
【図２】
0006597073.tif 000003
【図３】
0006597073.tif 000004
【図４】
0006597073.tif 000005
【図５】
0006597073.tif 000006
【図６】
0006597073.tif 000007
【図７】
0006597073.tif 000008